(57)【要約】 【課題】  燃料の改質効率が良好となる改質器、および改質器を備えた燃料電池システムを提供すること。【解決手段】  改質器２０の反応槽２６の内部の分離壁２６１からこの分離壁２６１と対向する周面部２０１の内壁に向かって、または、分離壁２６１と対向する反応槽２６の周面部２０１の内壁から分離壁２６１に向かって、下方に傾斜して、表面に触媒２６３が設けられた複数の傾斜板２６２Ａ，２６２Ｂが交互に形成されている。そして、この傾斜板２６２Ａ，２６２Ｂは、液体燃料が下方に向かって蛇行して流れる流路を形成している。これにより、液体燃料の触媒反応にかかる時間が十分に長くなり、未改質の液体燃料の排出量が低減し、液体燃料単位体積あたりの水素Ｈ２の生成量が増加する。従って、改質器２０の改質効率を向上させることができる。【選択図】 図２
2005243360.tif 000002
【特許請求の範囲】
【請求項１】
燃料電池用の液体燃料を触媒反応させて改質させる改質器であって、
液体燃料を流入する液体燃料流入口と、この液体燃料流入口の下方に配置されて触媒が設けられる反応槽とを備え、
前記反応槽の内部には、表面に前記触媒が設けられる複数の傾斜板が形成され、
前記傾斜板は、前記液体燃料を下方に向かって蛇行して流す流路を形成している
ことを特徴とした改質器。
【請求項２】
請求項１に記載の改質器において、
前記傾斜板は、前記液体燃料が流れる略蛇行状の流路溝を備えた
ことを特徴とした改質器。
【請求項３】
請求項２に記載の改質器において、
前記触媒は、少なくとも前記流路溝内に設けられる
ことを特徴とした改質器。
【請求項４】
請求項１ないし請求項３のいずれかに記載の改質器において、
前記触媒は、粒状に形成されて前記傾斜板上に敷き詰められている
ことを特徴とした改質器。
【請求項５】
請求項１ないし請求項３のいずれかに記載の改質器において、
前記触媒は、前記傾斜板の表面に薄層状に形成されて当該表面を被覆している
ことを特徴とした改質器。
【請求項６】
液体燃料を触媒反応させて改質させる改質器であって、
液体燃料を流入する液体燃料流入口と、この液体燃料流入口の下方に配置されて触媒が設けられる反応槽とを備え、
前記反応槽には、前記液体燃料を下方に向かって流す流路が設けられ、この流路は、上方から下方に向かうに従って、流路抵抗が大きくなる
ことを特徴とした改質器。
【請求項７】
請求項６に記載の改質器において、
前記反応槽の上方側には、粒径の大きい粒状の触媒が充填され、前記反応槽の下方側には、粒径の小さい粒状の触媒が充填されることで、前記下方の流路抵抗が大きくなっている
ことを特徴とした改質層。
【請求項８】
請求項６に記載の改質器において、
前記反応槽には、前記触媒が表面に担持されるとともに上部側が大径で下部側が小径となるテーパ孔が形成された流路形成体が設けられている
ことを特徴とした改質器。
【請求項９】
請求項８に記載の改質器において、
前記流路形成体は、水平方向に複数の前記テーパ孔を有する
ことを特徴とした改質器。
【請求項１０】
請求項８または請求項９に記載の改質器において、
前記流路形成体は、鉛直方向に複数の前記テーパ孔を有する
ことを特徴とした改質器。
【請求項１１】
請求項１０に記載の改質器において、
下方側に配置されるテーパ孔は、上方側に配置されるテーパ孔よりも流路抵抗が大きくなる
ことを特徴とした改質器。
【請求項１２】
請求項１ないし請求項１１のいずれかに記載の改質器と、
前記改質器で取り出された水素により発電する燃料電池を備えた
ことを特徴とする燃料電池システム。
【発明の詳細な説明】
【技術分野】
【０００１】
本発明は、液体燃料を触媒反応させて改質させる改質器、および改質器を備えた燃料電池システムに関する。
【背景技術】
【０００２】
燃料電池は、外部から燃料と酸素とを連続的に供給し、電気化学的に反応させて電気エネルギを取り出すものである。燃料電池は、他の発電方式に比べて高効率で二酸化炭素の排出量が少ないため、環境問題が顕著になっている近年注目されている。
【０００３】
例えば高分子電解質形燃料電池(Polymer Electrolyte Fuel Cell, PEFC)は、低い温度で動作が可能で起動時間が短く、小型化も可能である。この高分子電解質形燃料電池は、高分子固体電解質膜を空気側電極と燃料側電極とで挟んだ構造のＭＥＡ(Membrane Electrode Assembly)を備え、空気側電極に空気（酸素）を供給し、燃料側電極にメタノールや改質した水素などの燃料を供給することにより、電気化学的反応が起こり、電力が発生する（例えば特許文献１）。
【０００４】
【特許文献１】特開平８−１６２１３２号公報
【発明の開示】
【発明が解決しようとする課題】
【０００５】
改質した水素を燃料として使用する高分子電解質形燃料電池では、メタノールなどの燃料を改質して水素を取り出す改質器を必要とする。しかしながら、このような高分子電解質形燃料電池を小型化しようとすると、改質器の大きさも燃料電池とともに小型化する必要がある。改質器が小型化すると、未改質の燃料の排出量が多くなるため、改質効率が低下してしまう。従って、改質器の小型化を促進させるためには、改質効率をより向上させる必要がある。
また、改質器の触媒として加熱触媒を用いている場合では、改質を促進するために触媒を所定温度に加熱し保持することが必要となる。ところが、この加熱触媒に燃料を供給すると、燃料の温度によって触媒の温度が低下してしまう。このため、改質器の小型化を促進する場合では、改質器の小型化に伴って収納される加熱触媒も少量となるため、燃料の供給による触媒の温度低下への影響が大きくなり、適切な温度を保持することができないという問題がある。
【０００６】
本発明の目的は、燃料の改質効率が良好となる改質器、および改質器を備えた燃料電池システムを提供することである。
【課題を解決するための手段】
【０００７】
本発明の改質器は、燃料電池用の液体燃料を触媒反応させて改質させる改質器であって、液体燃料を流入する液体燃料流入口と、この液体燃料流入口の下方に配置されて触媒が設けられる反応槽とを備え、前記反応槽の内部には、表面に前記触媒が設けられる複数の傾斜板が形成され、前記傾斜板は、前記液体燃料を下方に向かって蛇行して流す流路を形成していることを特徴とする。
【０００８】
この発明によれば、反応槽の内部に、触媒が設けられる複数の傾斜板が形成され、この傾斜板は、液体燃料が下方に向かって蛇行して流れる流路を形成している。この流路は、例えば反応槽内に互いに対向して形成される壁面を設け、この壁面に挟持されるように複数の傾斜板を設けることで形成される。これにより、液体燃料は、この傾斜板上を触媒反応しながら下方に蛇行してゆっくりと流れ落ちていく。従って、流入された液体燃料のほとんどが触媒と反応して改質されるようになるから、未改質の液体燃料の排出量が低減し、液体燃料単位体積あたりの改質ガスの生成量が増え、改質効率の向上が図れる。この結果、改質器の小型化が促進される。
【０００９】
また、本発明では、前記傾斜板は、前記液体燃料が流れる略蛇行状の流路溝を備えたことが好ましい。
この発明によれば、傾斜板上に略蛇行する流路溝が形成されているので、液体燃料は傾斜板上を傾斜方向に真っ直ぐに流れ落ちるのではなく、この流路溝に沿って蛇行しながら流れ落ちていく。このため、液体燃料が流れ落ちる流路が一層長くなるから、未改質の液体燃料の排出量がさらに減少し、改質器の改質効率をより向上させることができる。
【００１０】
この時、前記触媒は、少なくとも前記流路溝内に設けられることが好ましい。
この発明によれば、触媒は、液体燃料が流れる傾斜板上の流路溝内に設けられているので、流路溝内を流れる液体燃料が確実に改質される。また、液体燃料がさほど流れない他の位置に触媒を敷き詰める必要がなくなるため、余分な触媒を不要にでき、この改質器を製造するための生産コストを低減できる。
【００１１】
そして、本発明では、前記触媒は、粒状に形成されて、前記傾斜板上に敷き詰められていることが考えられる。
この発明によれば、触媒は粒状に形成されて傾斜板上に敷き詰められているので、隣り合う触媒の間には触媒の粒径に応じた所定間隔寸法の隙間が生じ、この隙間に液体燃料が流れ込むことにより、液体燃料と触媒とが接触して触媒反応が良好に行われるようになる。
【００１２】
また、本発明では、前記触媒は、前記傾斜板の表面に薄層状に形成されて当該表面を被覆している構成としてもよい。なお、触媒を被覆する方法としては、メッキやディッピング成形などの各種手段を用いることができる。
この発明によれば、触媒をメッキやディッピング成形などによって傾斜板上に簡単に被覆できるので、生産にかかる手間やコストを低減できる。また、傾斜板の表面全体において触媒反応を生じさせることができるため、未改質の液体燃料の排出量を減少して、改質ガスの生成効率をより良好にできる。
【００１３】
本発明では、液体燃料を流入する液体燃料流入口と、この液体燃料流入口の下方に配置されて触媒が設けられる反応槽とを備え、液体燃料を触媒反応させて改質させる改質器であって、前記反応槽には、上方から下方に向かうに従って、流路抵抗が大きくなる流路が形成されていることを特徴とする。
【００１４】
反応槽の上方では、液体燃料の濃度が高いため、流路抵抗が小さく液体燃料が流れやすくても、触媒反応は、比較的頻繁に生じる。一方、反応槽の下方では、液体燃料の濃度が低くなるため、流路抵抗が小さいと、液体燃料がすぐに流れ落ちてしまい、十分な触媒反応を生じさせることができず、未改質の液体燃料の排出量が増加する。
【００１５】
これに対して、本発明では、反応槽には、上方から下方に向かうに従って、流路抵抗が大きくなって液体燃料が流れにくくなる流路が形成されている。これにより、反応槽の上方側では、液体燃料の濃度が高いので、流路抵抗が小さくとも、良好に改質でき、下方への流れもスムーズである。また、反応槽の下方においては、液体燃料の濃度が低下したとしても、流路抵抗が大きくなっているため、多量の液体燃料が流れ落ちにくくなるが、その分触媒反応時間を長くでき、改質器の改質効率が向上する。
【００１６】
この時、前記反応槽の上方側には、粒径の大きい粒状の触媒が充填され、前記反応槽の下方側には、粒径の小さい粒状の触媒が充填されることが考えられる。
この発明によれば、反応槽の上方側に粒径の大きい触媒を充填して、反応槽の下方側に粒径の小さい触媒を充填している。このようにすれば、反応槽の上方側では、粒径の大きい触媒が並ぶことで、各触媒間の隙間が大きくなって流路が大きくなり、流路抵抗が小さくなる。一方、反応槽の下方側では、粒径の小さい触媒が並ぶことで、各触媒間の隙間が小さくなって流路が小さくなり、流路抵抗が大きくなる。
【００１７】
また、本発明では、前記反応槽には、前記触媒が表面に担持されるとともに、上部側が大径で下部側が小径となるテーパ孔が形成された流路形成体が設けられている構成としてもよい。
この発明によれば、流路形成体には、上部側が下部側よりも大径となるテーパ孔が形成されている。これにより、この流路形成体に液体燃料を流入させた際、径の大きいテーパ孔の上部側では、流路抵抗が小さくなり、小径テーパ孔の下部側では、流路抵抗が大きくなって、液体燃料の流速が小さくなる。従って、液体燃料の濃度が小さいテーパ孔の下部側において、十分な触媒反応時間を確保できる。
【００１８】
そして、本発明では、前記流路形成体は、水平方向に複数の前記テーパ孔を有することが好ましい。
この発明によれば、流路形成体には、水平方向に、テーパ孔が複数形成されているので、流路抵抗に基づいた反応促進をより良好にできる。
【００１９】
また、本発明では、前記流路形成体は、鉛直方向に複数の前記テーパ孔を有することが好ましい。
この発明によれば、鉛直方向に複数のテーパ孔を設けたので、液体燃料は複数回テーパ孔を流れ落ちるため、触媒反応に費やされる時間がより多くなり、改質器の改質効率がさらに良好となる。
【００２０】
さらにこの時、下方側に配置されるテーパ孔は、上方側に配置されるテーパ孔よりも流路抵抗が大きくなることが好ましい。
この発明によれば、反応槽の上方側に流路抵抗の小さいテーパ孔が配置され、反応槽の下方側に流路抵抗の大きいテーパ孔が配置される。これによって、流路の長さが長くなるうえ、液体燃料は、反応槽の下方側に流れ落ちるに従って流れにくくなり、より効果的に改質器の改質効率を向上させることができる。
【００２１】
本発明の燃料電池システムは、前述の改質器と、改質器で取り出された水素により発電する燃料電池を備えて構成されていることが望ましい。
この発明によれば、燃料電池システムが前述の改質器を備えているので、前述の効果と同様の効果が得られ、改質器の改質効率が向上する。従って改質器を小型化しても十分な改質効率が良好で安定した改質ガスの供給が可能となるので、改質器の小型化が可能となり、燃料電池システムの小型化も促進される。
【発明を実施するための最良の形態】
【００２２】
以下、本発明の実施形態を図面に基づいて説明する。
〔第１実施形態〕
図１は、第１実施形態の改質器２０を備えた燃料電池システム１を示すブロック図である。図２は、第１実施形態の改質器２０の概略を示す縦断面図である。
図１において、燃料電池システム１は、燃料電池１０と、この燃料電池１０で用いられる改質ガスとしての水素Ｈ２を生成する改質器２０と、液体燃料を貯蔵する燃料貯蔵部３０と、改質器２０から排出される廃液を貯蔵する廃液貯蓄部４０と、を備えている。改質器２０と燃料電池１０との間には、改質器２０で生成する水素Ｈ２とそれ以外の物質、例えば二酸化炭素ＣＯ２などを分離する水素透過器５０と、生成した水素Ｈ２を一時貯蓄するとともに、この水素Ｈ２を所定圧力で燃料電池１０に送る水素ストレージ６０とが設けられている。この燃料電池システム１は、例えば、携帯用パーソナルコンピュータや、携帯電話などの携帯機器や小型機器に組み込まれる。
【００２３】
燃料電池１０は、内部において水素Ｈ２と空気中の酸素Ｏ２とを化学反応させて、電気エネルギを得るものである。この燃料電池１０としては、例えば、小型化が可能な固体高分子型燃料電池（Polymer Electrolyte Fuel Cell：PEFC）が用いられる。なお、本実施形態では、前述したように、携帯機器や小型機器に用いられる燃料電池システム１を例としているため、燃料電池１０としては、小型化が可能な固体高分子型燃料電池を用いたが、燃料電池システム１の用途などによって、例えばリン酸型燃料電池（Phosphoric Acid Fuel Cell：PAFC）、溶融炭酸塩型燃料電池（Molten Carbonate Fuel Cell：MCFC）、固体電解質型燃料電池（Solid Oxide Electrolyte Fuel Cell：SOFC）、などを用いてもよい。
【００２４】
改質器２０は、燃料貯蔵部３０から供給される液体燃料を触媒反応させて、燃料電池１０に燃料として用いられる水素Ｈ２を生成する装置である。改質器２０の詳細については、後述する。
【００２５】
燃料貯蔵部３０には、液体燃料が貯蓄されている。この燃料貯蔵部３０としては、例えば、燃料電池システム１に取り外し自在となる燃料カートリッジや、燃料電池システム１に直接組み込まれる燃料タンクが挙げられる。また、液体燃料としては、例えば水素化ホウ素ナトリウム等のボロハイドライド燃料や、デカリン、シクロへキサン、メチルシクロヘキサンなどの有機ハイドライド燃料、メタノール、エタノール、イソプロピルアルコールなどのアルコール系燃料などが採用できる。この燃料貯蔵部３０と改質器２０との間には、液体燃料を改質器２０に供給するための燃料供給ポンプ３１が設けられている。この燃料供給ポンプ３１は、燃料貯蔵部３０から改質器２０に液体燃料を所定量、所定流速で供給している。
なお、第１実施形態では、燃料供給ポンプ３１を用いて液体燃料を改質器２０に供給する構成を示したが、これに限定されない。例えば、燃料貯蔵部３０と改質器２０との水頭圧によって液体燃料を自然供給できる燃料供給弁を用いる構成であってもよい。
【００２６】
廃液貯蓄部４０は、改質器２０で不要となった廃液や、改質器２０で改質されなかった液体燃料、あるいはその他不要物などを貯蓄する。この廃液貯蓄部４０と改質器２０との間には、廃液排出ポンプ４１が設けられていて、改質器２０に溜まった廃液を適宜排出貯蓄部４０に排出している。
【００２７】
水素透過器５０は、改質器２０で水素Ｈ２とともに発生して燃料電池１０の燃料として用いられないもの、例えば二酸化炭素ＣＯ２や余分な水蒸気などを除去する装置である。このような不要物は、例えば活性炭や、シリカゲルなどの吸着剤やアミン系有機物などの吸収剤が用いられる。また、水蒸気の除去には、例えば水素透過器の内部を露点以下の低温にすることで水蒸気を水滴に変化させて除去させてもよい。
【００２８】
水素ストレージ６０は、水素透過器５０を通過した高純度の水素を一時貯蓄する。そして、水素ストレージ６０には、図示しない送りポンプが設けられていて、この送りポンプによって、燃料電池１０内に水素Ｈ２が送られる。なお、このような送りポンプや、前述の燃料供給ポンプ３１、廃液排出ポンプ４１としては、いわゆるマイクロポンプが採用できる。
【００２９】
次に、改質器２０について詳細に説明する。
改質器２０は、略筒形状の周面部２０１と、この周面部２０１の上下端部を覆う上面部２０２および下面部２０３とを備えて形成されている。そして、改質器２０には、液体燃料を改質器２０内に流入する液体燃料流入口２１と、廃液を取り出す廃液排出口２２と、生成された水素を取り出す水素取得口２３と、改質器２０内の圧力を計測する圧力センサ２４（図１のみ図示）と、改質器２０内が所定の圧力を超えて大きくなったときに外部に圧力を逃がす圧力逃がし弁２５（図１のみ図示）と、を備え、内部が液体燃料を触媒反応させて水素を生成する反応槽２６（図２参照）になっている。
【００３０】
液体燃料流入口２１は、上面部２０２に設けられ、液体燃料を反応槽２６の上方から下方に所定の流量で滴下させる。廃液排出口２２は、改質器２０の下面部２０３、あるいは、図２に示すように周面部２０１の下方側に設けられ、この廃液排出口２２から廃液を排出させる。この時、廃液排出ポンプ４１までの排出路の途中に逆止弁を設けるなどすることで、廃液排出口２２から廃液が改質器２０内に逆流しない構成となっている。水素取得口２３は、改質器２０の上面部２０２または、図２に示すように周面部２０１の上方側に設けられ、改質器２０内で発生した水素Ｈ２が水素透過器５０に送られる。
【００３１】
圧力センサ２４は、改質器２０の上面部２０２に取り付けられ、反応槽２６の圧力を計測している。また、圧力センサ２４の近傍の改質器２０の上面部２０２には、圧力逃がし弁２５が設けられている。そして、反応槽２６内の圧力が所定の圧力よりも大きくなった場合、圧力センサ２４がこの圧力を検知し、圧力逃がし弁２５を開いて圧力を降下させる。なお、これらの圧力センサ２４および圧力逃がし弁２５は、改質器２０の上部に設けられるとしたが、これに限定されず、例えば改質器２０の周面部２０１であってもよく、また改質器２０の下面部２０３に設けられていてもよい。
【００３２】
図２において、反応槽２６は、反応部２６Ａと、水素分離部２６Ｂと、廃液溜め部２６Ｃと、を備えている。反応部２６Ａと水素分離部２６Ｂとの間には、分離壁２６１が形成され、反応部２６Ａと廃液溜め部２６Ｃとの間、および水素分離部２６Ｂと廃液溜め部２６Ｃとの間には、廃液分離壁２６４が設けられている。
【００３３】
分離壁２６１は、鉛直な両端辺が周面部２０１の対向する内壁に挟持されているとともに、廃液分離壁２６４の上面から立ち上がって形成されている。そして、分離壁２６１の上端部と上面部２０２との間には、反応部２６Ａで生成した水素Ｈ２が通過する水素通過部２６５が形成されている。
【００３４】
廃液分離壁２６４は、周部が周面部２０１の内壁と当接して設けられ、反応部２６Ａおよび水素分離部２６Ｂと廃液溜め部２６Ｃとを分離している。この廃液分離壁２６４の反応部２６Ａ側は、例えば金属メッシュや複数の孔部を有する金属板などで形成され、上方から流れ落ちてきた廃液を下方に通過させることができる。一方、廃液分離壁２６４の水素分離部２６Ｂ側には、メッシュや孔部が形成されず、廃液溜め部２６Ｃが水素分離部２６Ｂ側に、廃液が移動できない構成となっている。
【００３５】
反応部２６Ａには、斜め下向きに傾斜した複数の傾斜板２６２Ａ，２６２Ｂが配置されている。これらの傾斜板２６２Ａ，２６２Ｂは、対向する２辺が周面部２０１の内壁に挟まれるように配置されている。傾斜板２６２Ａの上方の一辺は、分離壁２６１に当接され、下方の一辺は周面部２０１の内壁から離れて設けられ、開口部２６２Ｃが形成されている。傾斜板２６２Ｂの上方の一辺は、周面部２０１に当接され、下方の一辺は分離壁２６１から離れて設けられ、開口部２６２Ｄが形成されている。この開口部２６２Ｃ，２６２Ｄの隙間寸法は、特に限定されないが、液体燃料が傾斜板２６２Ａ，２６２Ｂの上端部により近い位置に滴下されるように設定されていることが好ましい。傾斜板２６２Ａと傾斜板２６２Ｂとは、互いに交わらないように交互に配置されている。具体的には、最も上方に設けられた傾斜板２６２Ａの下側近傍に、最も上方に設けられる傾斜板２６２Ｂの上側近傍が形成され、この傾斜板２６２Ｂの下側近傍に、上から2番目に設けられる傾斜板２６２Ａの上側近傍が形成され、以下同様に傾斜板２６２Ａと傾斜板２６２Ｂが交互に配列されている。これにより、傾斜板２６２Ａ，２６２Ｂの上面に、下方側に向かって蛇行して流れる液体燃料の流路が形成される。
【００３６】
そして、これらの傾斜板２６２Ａ，２６２Ｂの上面には、粒状の触媒２６３が高密度に敷き詰められている。この触媒２６３としては、例えば液体燃料がボロハイドライドの場合では、白金Ｐｔ、ルテニウムＲｕ、ロジウムＲｈなどの白金族や、コバルトＣｏ、ニッケルＮｉ、ラネーニッケル、フッ化処理した水素吸蔵合金などが採用できる。また、液体燃料が有機ハイドライドの場合では、触媒１１の触媒材料として、白金Ｐｔ、ルテニウムＲｕ、ロジウムＲｈなどの白金族などが採用できる。そして燃料がメタノールの場合では、触媒１１の触媒材料として水蒸気改質触媒が採用でき、例えばＮｉや、銅系、Cu/ZnO/Al2O3系、Pd/ZnO等が採用できる。
【００３７】
このような反応槽２６に液体燃料を流入すると、液体燃料は、液体燃料流入口２１から下方の最も上方に設けられる傾斜板２６２Ａの上端近傍に滴下される。そして傾斜板２６２Ａの傾斜面の表面を触媒２６３と接触しながらゆっくりと流れ落ちていく。傾斜板２６２Ａの下端に到達した液体燃料は、開口部２６２Ｃから下方に設けられる傾斜板２６２Ｂの上端近傍に滴下される。以下同様にして、液体燃料は、傾斜板２６２Ｂの表面を触媒２６３と接触しながらゆっくりと流れ、下端に到達すると開口部２６２Ｄから下方に設けられる傾斜板２６２Ａの上端近傍に滴下される。このようにして、液体燃料流入口２１から滴下された液体燃料は、傾斜板２６２Ａ，２６２Ｂ上を下方に向かって蛇行しながら廃液溜め部２６Ｃまでゆっくりと流れ落ちていく。
【００３８】
そして、この傾斜板２６２Ａ，２６２Ｂの表面を液体燃料が流れ落ちる途中では、触媒２６３との接触により、以下の（１）式に示すような触媒反応が起こる。
ＣＨ３ＯＨ＋Ｈ２Ｏ  →  Ｈ２＋ＣＯ２  …（１）
この触媒反応により発生した水素Ｈ２は、反応部２６Ａの空間を上昇して、水素通過部２６５から水素分離部２６Ｂに入る。この水素分離部２６Ｂでは、発生した水素Ｈ２の他、副生物としての二酸化炭素ＣＯ２や水蒸気なども混入して入れられる。そして、質量が他の気体よりも軽い水素Ｈ２は、水素分離部２６Ｂの上方に溜まりやすく、この水素分離部２６Ｂの周面部２０１の上方側、または上面部２０２に、水素取得口２３を設けることで、容易に水素Ｈ２を取り出すことができる。ここで、触媒反応で発生した水素Ｈ２は、水素分離部２６Ｂの上方側に溜まりやすく、従って水素取得口２３から排出される。
【００３９】
廃液溜め部２６Ｃは、反応部２６Ａで反応し終わった液体燃料の廃液や反応しなかった未改質の液体燃料を一時貯蔵する。この廃液溜め部２６Ｃには、所定量の廃液を貯蔵できるようになっており、廃液の量が所定量を越えると、廃液排出ポンプ４１が作動して廃液貯蓄部４０に廃液溜め部２６Ｃの廃液が排出される。
【００４０】
上記のような第１実施形態の改質器２０では、次のような効果が得られる。
（１）改質器２０の反応槽２６の内部には、傾斜板２６２Ａ，２６２Ｂにより、液体燃料が下方に向かって蛇行して流れる流路が形成されているため、液体燃料をこの傾斜板２６２Ａ，２６２Ｂ上を触媒反応させながら下方に蛇行してゆっくりと流れ落とすことができる。従って、流入された液体燃料のほとんどを触媒と反応させて改質できるから、未改質の液体燃料の排出量を低減でき、液体燃料単位体積あたりの水素Ｈ２の生成量を増やして、改質効率を向上させることができる。この結果、改質器２０の小型化を促進できる。
【００４１】
（２）触媒２６３は、粒状に形成されていて、傾斜板２６２Ａ，２６２Ｂの表面上に高密度に敷き詰められている。この構成により、隣り合う触媒２６３間に隙間が生じ、この隙間に液体燃料が流れ込むため、液体燃料と触媒との接触面積が増大し、触媒反応を良好に行わせることができる。また、触媒２６３が高密度に敷き詰められることで、液体燃料と触媒２６３との接触面積をさらに増大させることができ、液体燃料の触媒反応をより促進して、未改質の液体燃料の排出量をさらに低減できる。
【００４２】
〔第２実施形態〕
次に第２実施形態の改質器２０Ａについて図面に基づいて説明する。なお、第１実施形態と同一の構成、または類似した構成については、図面にて同符号を付し、ここでは説明を省略または簡略化する。後述する第３および第４実施形態でも同様である。
【００４３】
図３は、第２実施形態の改質器２０Ａの概略を示す縦断面図である。図４は、改質器２０Ａの傾斜板２６６Ａ，２６６Ｂを上方側から見たときの正面図である。なお、第２実施形態では、反応槽２６で用いられる傾斜板２６６Ａ，２６６Ｂが第１実施形態とは異なる。従って、改質器のその他の構成としては、第１実施形態と略同様である。
【００４４】
図３において、反応部２６Ａには、第１実施形態と同様、分離壁２６１から斜め下向きに傾斜する傾斜板２６６Ａと、分離壁２６１に対向する周面部２０１の内壁から斜め下向きに傾斜する傾斜板２６６Ｂとが、それぞれ分離壁２６１の端辺に当接して互いに対向する周面部２０１に挟持されて配置されている。これらの傾斜板２６６Ａと傾斜板２６６Ｂとは、互いに接触しないように交互に配列されている。また、傾斜板２６６Ａの先端部と周面部２０１の内壁との間には、所定の幅寸法の開口部２６２Ｃが形成され、傾斜板２６６Ｂの先端部と分離壁２６１との間には、所定の幅寸法の開口部２６２Ｄが形成されている。
【００４５】
図４に示すように、傾斜板２６６Ａ，２６６Ｂの上面側表面には、液体燃料の流路２７が形成されている。この流路２７は、傾斜板２６６Ａ，２６６Ｂの基端側端部に形成される始点２７１と、先端側端部に形成される終点２７２との間を蛇行して形成される流路溝２７０と、この流路溝２７０から派生する複数の補助溝２７３とを備えている。流路溝２７０は、例えば、傾斜板２６６Ａ，２６６Ｂの傾斜方向と略直交する方向に伸びる複数の直線状の横溝を有し、傾斜方向と同方向に伸びる縦溝で隣り合う横溝の一端同士が連結されることで、始点２７１から終点２７２までが一本の溝となるように形成されている。補助溝２７３は、この流路溝２７０の横溝から傾斜方向上側に延びており、補助溝２７３に入った液体燃料が自然に流路溝２７０に流れ込むように形成されている。なお、流路２７の流路溝２７０および補助溝２７３の形状は、これに限定されず、例えば流路溝が傾斜方向に沿ってジグザクに延びる形状であってもよく、また補助溝が蛇行した形状であったり複数の溝が枝状に派生して形成される形状であったりしてもよい。
【００４６】
また、この流路２７の流路溝２７０および補助溝２７３の表面には、触媒が担持されている。この触媒は、流路２７の流路溝２７０および補助溝２７３の表面に、メッキ、またはディッピング成形などによって薄層状に被覆されて形成されている。なお、ここでは、メッキやディッピング成形により触媒を流路２７に沿って担持したが、これに限らず、例えば第１実施形態のように、粒状の触媒が流路２７内の表面に敷き詰められる構成としてもよい。なお、触媒が流路２７内の表面に設けられる構成を示しているが、傾斜板２６６Ａ，２６６Ｂの表面全体に担持されている構成としてもよい。
【００４７】
このような改質器２０Ａに液体燃料を滴下すると、液体燃料は、傾斜板２６６Ａの流路２７の最も上方の横溝に流れ込み、流路２７に沿ってゆっくりと流れ出す。また、複数の補助溝２７３を設けているので、流路溝２７０以外に滴下された液体燃料はこの補助溝２７３を伝って流路溝２７０に誘導される。
【００４８】
そして、液体燃料は、流路２７の終点２７２まで到達すると、傾斜板２６６Ａ，２６６Ｂの傾斜方向に流れ、開口部２６２Ｃ，２６２Ｄから下方に設けられる傾斜板２６６Ｂ，２６６Ａの流路２７の始点２７１近傍に滴下される。このようにして、液体燃料は、傾斜板２６６Ａ，２６６Ｂの流路２７をゆっくりと流れ、流路２７に担持された触媒によって反応が促進されて水素Ｈ２を生成する。
【００４９】
第２実施形態の改質器２０Ａでは、第１実施形態の効果（１）〜（２）の効果に加えて次の効果が得られる。
（３）改質器２０Ａの傾斜板２６６Ａ，２６６Ｂ上に略蛇行する流路溝２７０が形成されているので、液体燃料は、この流路溝２７０に沿って蛇行しながらゆっくりと流れ落ちていく。このため、液体燃料が流れ落ちる流路が一層長くなるから、未改質の液体燃料の排出量をさらに低減でき、改質器２０Ａの改質効率をより向上させることができる。
【００５０】
（４）触媒は、流路２７の流路溝２７０および補助溝２７３の表面に設けられているため、液体燃料が流れる傾斜板２６６Ａ，２６６Ｂ上の流路２７内に触媒を設ければよい。これにより、液体燃料が流れない位置に触媒を設ける必要がなく、この改質器２０を製造するための生産コストを低減できる。
【００５１】
（５）触媒は、メッキやディッピング成形などによって傾斜板２６６Ａ，２６６Ｂの流路２７に簡単に形成できるので、生産にかかる手間やコストを低減できる。
【００５２】
（６）流路２７は、流路溝２７０と、この流路溝２７０の傾斜方向上側に連結して形成される補助溝２７３とを備えている。これにより、流路溝２７０以外に滴下された液体燃料は、補助溝２７３を通って流路溝２７０に誘導され、滴下した液体燃料を無駄なく改質できる。
【００５３】
〔第３実施形態〕
次に本発明の第３実施形態について図面に基づいて説明する。
図５は、第３実施形態の改質器２０Ｂの概略を示す縦断面図である。図５において、反応部２６Ａには略粒状の触媒２６７が層をなして充填されている（本実施形態では４層）。この時、反応部２６Ａの下方側には、粒径のより小さい触媒が充填され、反応部２６Ａの上方側に向かうに従って粒径のより大きい触媒が充填される。また、触媒２６７の粒径は、廃液分離壁２６４に形成されるメッシュの孔径より大きく形成されていて、触媒２６７が廃液溜め部２６Ｃに落下しないようになっている。また、この触媒２６７としては、第１実施形態と同様に、燃料がボロハイドライドの場合では、白金Ｐｔ、ルテニウムＲｕ、ロジウムＲｈなどの白金族や、コバルトＣｏ、ニッケルＮｉ、ラネーニッケル、フッ化処理した水素吸蔵合金などが採用できる。また、燃料が有機ハイドライドの場合では、触媒１１の触媒材料として、白金Ｐｔ、ルテニウムＲｕ、ロジウムＲｈなどの白金族などが採用できる。そして燃料がメタノールの場合では、触媒１１の触媒材料として水蒸気改質触媒が採用でき、例えばＮｉや、銅系、Cu/ZnO/Al2O3系、Pd/ZnO等が採用できる。なお、触媒２６７は、例えばγアルミナやαアルミナなどの多孔質材料や、カーボン粉体などを粒状に形成し、これらの多孔質材料やカーボン粉体などに触媒材料を担持させた構造としてもよい。
【００５４】
このような改質器２０Ａに液体燃料流入口２１から液体燃料を滴下すると、液体燃料は、触媒２６７の隙間を通って流れ落ちる。この時、反応部２６Ａの上方側では、触媒２６７の粒径が大きいため、各触媒２６７間の隙間も大きくなる。従って、反応部２６Ａの上方側では、比較的大きな流路が形成されて流路抵抗は小さくなる。このように、反応部２６Ａの上方側で比較的大きな流路を形成できるのは、液体燃料の濃度が比較的高く、高い確率で触媒反応が起こるため、液体燃料と触媒２６７との接触時間が短くても十分に触媒反応が発生するためである。
【００５５】
一方、反応部２６Ａの下方側では、液体燃料の濃度が低下するため触媒反応が生じにくくなる。従って、従来のように流路抵抗が小さい場合、触媒との接触時間が短くなるため、多くの未改質の液体燃料が廃液として排出されてしまう。これに対して、第３実施形態では、反応部２６Ａの下方側に向かうに従って、触媒２６７の粒径が小さくなるため、各触媒２６７間の隙間も小さくなる。このため、流路が狭くなり、流路抵抗が増大して、液体燃料と触媒２６７との接触時間が増加し、濃度の低い場合でも、良好に反応させることができる。
【００５６】
なお、反応槽２６の全てを粒径の十分に小さい触媒で充填させることも考えられる。しかし、この場合、反応部２６Ａの全体において液体燃料の流速が著しく低下してしまうため、液体燃料および触媒反応が終わった廃液がなかなか下方側に流れ落ちず、反応部２６Ａに溜まり続けてしまう。このため、液体燃料の滴下量を予め少なく設定する必要があり、液体燃料の滴下量を減らすと、単位時間当たりの水素Ｈ２の発生量が減少してしまい、結果として水素Ｈ２の収集効率が悪くなってしまう。従って、反応槽２６の上方では、触媒の粒径を大きくして流路抵抗を小さくすることが好ましく、この場合、反応部２６Ａの下方側だけで流速が低下するので、液体燃料の滴下量を多く設定することが可能となる。
【００５７】
第３実施形態の改質器２０Ｂによると、次のような効果が得られる。
（７）改質器２０Ｂの反応部２６Ａには、上方側から下方側に向かうに従って流路抵抗が大きくなるように流路が形成されている。これにより、反応部２６Ａの上方側では、液体燃料の濃度が高いために、流路抵抗が小さくとも、良好に改質でき、下方側への流れもスムーズとなる。また、反応槽の下方側においては、液体燃料の濃度が低下したとしても、流路抵抗が大きくなっているため、多量の液体燃料が流れ落ちにくくなるが、その分触媒反応時間を長くでき、改質器２０Ｂの改質効率を向上させることができる。
【００５８】
（８）反応部２６Ａの上方側に粒径の大きい触媒２６７を充填させて、反応部２６Ａの下方側に粒径の小さい触媒２６７を充填させているため、反応部２６Ａの上方側では、粒径の大きい触媒２６７が並ぶことで、各触媒２６７間の隙間が大きくなって流路を広くでき、流路抵抗を確実に小さくできる。一方、反応部２６Ａの下方側では、粒径の小さい触媒２６７が並ぶことで、各触媒２６７間の隙間が小さくなって流路を狭くでき、流路抵抗を確実に大きくできる。
【００５９】
〔第４実施形態〕
次に本発明の第４実施形態について図面に基づいて説明する。
図６は、第４実施形態の改質器２０Ｃの概略を示す縦断面図である。図６において、本実施形態の反応部２６Ａには、上下方向に貫通した複数のテーパ孔２９１を水平方向に有する流路成形体としての多孔体２９が複数（本実施形態では３つ）上下に重ね合わせて配置されている。多孔体２９に形成されるテーパ孔２９１は、上部側が下部側に比べて孔径が大きくなるように形成されている。これらの多孔体２９の表面には、触媒がメッキやディッピング成形などにより担持されている。ただし、触媒は、多孔体の表面にメッキやディッピングなどによって担持されるものに限らない。例えば、粒子状の触媒が多孔体２９およびテーパ孔２９１の表面に敷き詰められた構成であってもよく、多孔体２９が触媒、すなわち亜鉛やアルミナ、ルテニウムなどで形成されているものであってもよい。
【００６０】
また、反応部２６Ａの上方側に配置される多孔体２９のテーパ孔２９１のテーパ孔２９１の上部側、下部側の孔径は、反応部２６Ａの下方側に配置される多孔体２９のテーパ孔２９１の上部側、下部側の孔径より大きく形成されている。さらに、反応部２６Ａの下方側に配置される多孔体２９のテーパ孔２９１は、上方側に配置される多孔体２９のテーパ孔２９１に比べて水平方向に配置される数が多く、よりテーパ孔２９１の密度の高い状態に形成される。
【００６１】
このような改質器２０Ｃの液体燃料流入口２１から液体燃料を滴下すると、液体燃料は、多孔体２９のテーパ孔２９１を通過して流れ落ちる。この時、反応部２６Ａの上方側では、テーパ孔２９１の孔径が比較的大きいため、流路抵抗が小さくなる。また、液体燃料のメタノール濃度が低下する反応部２６Ａの下方側では、テーパ孔２９１の孔径が小さくなるため、流路が狭くなり、流路抵抗が大きくなる。さらに、反応部２６Ａの下方側では、テーパ孔２９１の数が増えるため、液体燃料とテーパ孔２９１の表面に担持される触媒との接触面積が大きくなる。
【００６２】
第４実施形態の改質器２０Ｃによれば、第３実施形態の効果（７）に加えて次の効果が得られる。
（９）反応槽２６の反応部２６Ａには、上部側が大径で下部側が小径となるテーパ孔２９１を形成された多孔体２９が嵌め込まれている。これにより、この多孔体２９に液体燃料を滴下した際、孔径の大きいテーパ孔２９１の上部側では、流路抵抗が小さく、孔径の小さいテーパ孔２９１の下部側では、流路抵抗が大きくなる。従って、テーパ孔２９１の下部側において液体燃料の濃度が低くなったとしても、十分な触媒反応時間を確保できる。このため、未改質のメタノールの排出量を削減でき、改質器２０Ｃの改質効率を向上させることができる。
【００６３】
（10）多孔体２９には、水平方向に、複数の略同一孔径で略同一長さ寸法のテーパ孔２９１が形成されているので、テーパ孔２９１の表面の触媒と液体燃料との接触面積を大きくできる。これにより、液体燃料の触媒反応をより促進できる。
【００６４】
（11）複数の多孔体２９が上下方向に重なって配置されて鉛直方向に複数のテーパ孔２９１を設けられているで、テーパ孔２９１に設けられる触媒と液体燃料との接触面積を大きくできる。従って、液体燃料の触媒反応に費やされる時間をより長くでき、改質器２０Ｃの改質効率をさらに良好にできる。
【００６５】
（12）反応部２６Ａの上方側に配置される多孔体２９のテーパ孔２９１の上部側、下部側の孔径は、反応部２６Ａの下方側に配置される多孔体２９のテーパ孔２９１の上部側、下部側の孔径より大きく形成されているので、液体燃料は、反応部２６Ａの下方側に流れ落ちるに従って流れにくくなり、より効果的に改質器２０Ｃの改質効率を向上させることができる。
【００６６】
（13）反応部２６Ａの下方側に配置されるテーパ孔２９１は、上方側に配置されるテーパ孔２９１に比べてより密に配置されている。これにより、反応部２６Ａの下方側において、液体燃料と触媒との接触面積を大きくでき、触媒反応をより促進でき、改質器２０Ｃの改質効率をさらに向上させることができる。
【００６７】
（14）各多孔体２９をそれぞれ別部材として形成して、上下方向に組み合わせているので、各多孔体２９のテーパ孔２９１の表面に触媒を担持させやすく、容易に多孔体２９を作成できる。さらに、改質器２０Ｃのメンテナンス時に多孔体２９を個別に取り出してメンテナンス作業を実施でき、多孔体２９の取替え作業も容易に実施できる。
【００６８】
〔実施形態の変形例〕
なお、本発明は前述の実施形態に限定されるものではなく、本発明の目的を達成できる範囲での変形、改良等は本発明に含まれるものである。
【００６９】
例えば、第１および第２実施形態実施形態において、傾斜板２６２Ａ，２６２Ｂ，２６６Ａ，２６６Ｂは分離壁２６１および周面部２０１の内壁から斜め下方向に傾斜して形成され、傾斜板２６２Ａ，２６６Ａの先端部と周面部２０１の内壁との間、および傾斜板２６２Ｂ，２６６Ｂの先端部と分離壁２６１との間に開口部２６２Ｃ，２６２Ｄが設けられるとしたが、これに限定されない。例えば、図７に示すような構成であってもよい。
【００７０】
図７に示される改質器２０Ｄの反応部２６Ａは、水平方向の断面が略コ字型に形成される分離壁２６１Ｄと、周面部２０１と、廃液分離壁２６４と、で囲まれて形成されている。そして、傾斜板２６２Ｅ，２６２Ｆは、互いに対向する分離壁２６１Ｄに挟まれるようにして配置されている。傾斜板２６２Ｅは、周面部２０１と対向する分離壁２６１Ｄから斜め下向きに傾斜して下端部が周面部２０１に当接して配置され、２６２Ｆは、周面部２０１の内壁から斜め下向きに傾斜して下端部が分離壁２６１Ｄに当接して配置されている。これらの傾斜板２６２Ｅ，２６２Ｆは、互いに接触しないように交互に配列されている。そして、傾斜板２６２Ｅの下端部には、周面部２０１の内壁近傍に複数の滴下孔部２６２Ｇが形成され、傾斜板２６２Ｆの下端部には、分離壁２６１Ｄの近傍に複数の滴下孔部２６２Ｇが形成されている。さらに、傾斜板２６２Ｅ，２６２Ｆの上端部の下面側近傍には、水素分離部２６Ｂと連通する水素通気孔２６８が設けられている。
【００７１】
このような構成でも、前記第１および第２実施形態と同様に、液体燃料の流路長を長くできるとともに、液体燃料の触媒反応時間を十分に確保できるので、未改質の液体燃料の排出量を低減でき、改質器の改質効率を向上させることができる。また、水素通気孔２６８が形成されているので、水素Ｈ２は、傾斜板２６２Ｅ，２６２Ｆの上端部と分離壁２６１Ｄおよび周面部２０１の内壁との間に溜まらず、水素分離部２６Ｂに通すことができる。従って、水素Ｈ２の回収率をさらに高めることができる。
【００７２】
第４実施形態において、上方側に配置されるテーパ孔２９１は下方側に配置されるテーパ孔２９１に比べて大径に形成されるとしたが、これに限定されない。例えば、上方側に形成されるテーパ孔と下方側に形成されるテーパ孔とが略同一径寸法に形成されているものであってもよい。このような場合でも、各テーパ孔の下部側の孔径が上部側の孔径よりも小さく形成されていれば、液体燃料の流速を低下させることができる。
【００７３】
さらに、第４実施形態において、多孔体２９は、鉛直方向および水平方向に複数のテーパ孔２９１が設けられるとしたが、これに限らない。例えば、多孔体は、水平方向にのみ複数のテーパ孔が設けられる構成としてもよい。このような場合、各テーパ孔の下部側の孔径をより小さくするなどして流路抵抗を調整することができる。また、多孔体の形状が複雑にならず、容易に形成することができる。
【００７４】
第２実施形態において、触媒は傾斜板２６６Ａ，２６６Ｂの流路２７に担持されるとしたが、これに限らない。例えば、傾斜板２６６Ａ，２６６Ｂ自身が触媒で形成されているものであってもよい。このような場合、傾斜板２６６Ａ，２６６Ｂへの触媒の担持作業を省略できる。
【００７５】
第１および第２実施形態において、複数の傾斜板２６２Ａ，２６２Ｂ，２６６Ａ，２６６Ｂが設けられる構成を例示したが、これに限らない。例えば図８に示すような構成、すなわち、反応部２８は、略円筒状に形成され、この反応部２８の中央軸に一本の柱部２８１が立設され、一枚の螺旋版２８２がこの柱部２８１を中心軸として配置されている構成としてもよい。また、この螺旋版２８２に流路溝を形成し、この流路溝に沿って液体燃料を流す構成であってもよい。このような構成においても、液体燃料は、螺旋状の傾斜板をゆっくりと流れ落ちるので、液体燃料の流路を長くでき、十分な触媒反応時間を確保できる。従って、未改質の液体燃料の排出量を減少させて、改質器の改質効率を向上できる。
【００７６】
また、第４実施形態において、水平方向に複数のテーパ孔２９１が形成された多孔体２９を上下方向に複数重ね合わせる構成を例示したが、これに限らない。例えば、複数の孔部が形成された多孔体を用いてもよい。この場合、例えば多孔体を多孔質ＰＴＦＥで形成されていてもよく、この多孔体の孔部に触媒を担持させる。ただし、この場合、多孔体の孔部の大きさは、液体燃料が確実に通過する大きさにすることが望ましい。
【００７７】
また、第１ないし第４実施形態において、燃料電池システム１は、廃液貯蓄部４０および廃液排出ポンプ４１を備えた構成を例示したが、これに限らない。例えば、廃液貯蓄部４０および廃液排出ポンプ４１を設けず、改質器２０の廃液溜め部２６Ｃに、高分子吸収体を設ける構成としてもよい。この場合、高分子吸収体を交換自在にすることで、廃液溜め部に溜まった廃液を排出することが好ましい。
【００７８】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００７９】
【図１】第１実施形態の改質器を備えた燃料電池システムを示すブロック図。
【図２】改質器の概略を示す縦断面図。
【図３】第２実施形態の改質器の概略を示す縦断面図。
【図４】傾斜板を上方側から見た正面図。
【図５】第３実施形態の改質器の概略を示す縦断面図。
【図６】第４実施形態の改質器の概略を示す縦断面図。
【図７】本実施の形態の変形例を示す改質器の概略を示す縦断面図。
【図８】本実施形態の変形例の改質器の反応槽の一部を示す斜視図。
【符号の説明】
【００８０】
２０，２０Ａ，２０Ｂ，２０Ｃ…改質器、２１…液体燃料流入口、２６，２８…反応槽、２７…流路、２９…流路形成体としての多孔体、２６２Ａ，２６２Ｂ，２６６Ａ，２６６Ｂ，２６２Ｅ，２６２Ｆ，２８２…傾斜板、２６３…触媒、２７０…流路溝、２９１…テーパ孔。
【図１】
2005243360.tif 000003
【図２】
2005243360.tif 000004
【図３】
2005243360.tif 000005
【図４】
2005243360.tif 000006
【図５】
2005243360.tif 000007
【図６】
2005243360.tif 000008
【図７】
2005243360.tif 000009
【図８】
2005243360.tif 000010